(57)【要約】【課題】タクシーの車載機器が出力する様々な形式の情報を統合的に管理する情報統合管理システムを提供する。【解決手段】情報統合管理システム１００は、複数のタクシー１０の車両１，２にそれぞれ搭載され、それぞれの車両１，２の車載機器１１Ａ〜１１Ｃが出力する情報を収集し、標準形式に変換して外部に送信する端末装置２０、及び端末装置２０が送信する情報を受信し、記憶し、ユーザに閲覧可能に表示する管理サーバ３０を備える。それにより、複数の車両１，２のそれぞれの車載機器１１Ａ〜１１Ｃが出力する様々な形式の情報が端末装置２０によって標準形式に変換されることで統一され、管理サーバ３０に送信されてこれにより統合的に管理することができる。【選択図】図１
2018036727.tif 000002
【特許請求の範囲】
【請求項１】
タクシーの車載機器が出力する情報を統合的に管理する情報統合管理システムであって、
複数のタクシーにそれぞれ搭載され、それぞれのタクシーの車載機器が出力する情報を収集し、標準形式に変換して外部に送信する端末装置と、
前記端末装置が送信する前記情報を受信し、記憶し、ユーザに閲覧可能に表示する管理サーバと、
を備える情報統合管理システム。
【請求項２】
前記タクシーの車載機器は、少なくともタクシーメータ及びタコグラフを含むことを特徴とする、請求項１に記載の情報統合管理システム。
【請求項３】
前記タクシーの車載機器は、アナログ形式の情報を出力する車載機器を含み、
前記端末装置は、さらに、前記アナログ形式の情報をデジタル形式の情報に変換することを特徴とする、請求項１又は２に記載の情報統合管理システム。
【請求項４】
前記複数のタクシーの車載機器は、形式の異なる情報を出力する同種の機器を含み、
前記複数のタクシーにそれぞれ搭載される端末装置は、前記同種の機器が出力する形式の異なる情報を収集し、前記標準形式に変換して外部に送信する複数の端末装置を含むことを特徴とする、請求項１〜３のいずれか一項に記載の情報統合管理システム。
【発明の詳細な説明】
【技術分野】
【０００１】
本発明は、タクシーの車載機器が出力する情報を統合的に管理する情報統合管理システムに関する。
【背景技術】
【０００２】
タクシーには、走行距離及び時間に応じて運賃を計算するタクシーメータ、走行速度及びその変化をグラフ化する運行記録計器（いわゆる、タコグラフ）、ＧＰＳ、その他の車載機器が装備されている。これらの車載機器から出力される情報を収集し、分析することで、例えば、タクシーメータの出力情報から時刻毎に運行状況（客の乗車／無乗車の別）がわかり、さらにタコグラフの出力情報を合わせて客の乗車中に急ブレーキをかけたか否かがわかり、乗客の安全・快適が維持されているかがわかるなど、運行管理に有用な情報を得ることができる。
【０００３】
例えば特許文献１には、タクシーメータに接続されて、これが出力する情報を乗客が理解できる言語に変換して表示する表示器を備えるタクシーメータシステムが開示されている。しかし、１つの車載機器について情報を収集するのは、その機器の付帯機能として行われ、その機器に固有の形式で情報が収集されることで、情報を統合的に管理することはできない。一方で、タクシー会社にとって、車載機器を統一して情報の形式を統一するのはコストを要するため、様々な車載機器から情報を一括収集するのが困難である。また、車載機器には、例えば従前のタコメータのようにアナログ情報を出力するものもあり、情報の収集がなお困難となる。
【先行技術文献】
【特許文献】
【０００４】
【特許文献１】特開２０１５−８７８６５号公報
【発明の概要】
【発明が解決しようとする課題】
【０００５】
本発明は、タクシーの車載機器が出力する様々な形式の情報を統合的に管理する情報統合管理システムを提供することを課題とする。
【課題を解決するための手段】
【０００６】
本発明は、タクシーの車載機器が出力する情報を統合的に管理する情報統合管理システムであって、複数のタクシーにそれぞれ搭載され、それぞれのタクシーの車載機器が出力する情報を収集し、標準形式に変換して外部に送信する端末装置と、端末装置が送信する情報を受信し、記憶し、ユーザに閲覧可能に表示する管理サーバと、を備える情報統合管理システムである。
【０００７】
これによれば、端末装置が、複数のタクシーにそれぞれ搭載され、それぞれのタクシーの車載機器が出力する情報を収集し、標準形式に変換して外部に送信し、管理サーバが、端末装置が送信する情報を受信し、記憶し、ユーザに閲覧可能に表示する。それにより、複数のタクシーのそれぞれの車載機器が出力する様々な形式の情報が端末装置によって標準形式に変換されることで統一され、管理サーバに送信されてこれにより統合的に管理することができる。
【０００８】
本発明の情報統合管理システムは、タクシーの車載機器は、少なくともタクシーメータ及びタコグラフを含むことを特徴とする。
【０００９】
これによれば、タクシーの車載機器は、少なくともタクシーメータ及びタコグラフを含むことで、これらの車載機器が出力する情報を統合的に管理することができる。
【００１０】
本発明の情報統合管理システムは、タクシーの車載機器は、アナログ形式の情報を出力する車載機器を含み、端末装置は、さらに、アナログ形式の情報をデジタル形式の情報に変換することを特徴とする。
【００１１】
本発明の情報統合管理システムは、これによれば、端末装置は、さらに、タクシーの車載機器が出力するアナログ形式の情報をデジタル形式の情報に変換することで、変換されたデジタル形式の情報を外部に送信することができる。
【００１２】
本発明の情報統合管理システムは、複数のタクシーの車載機器は、形式の異なる情報を出力する同種の機器を含み、複数のタクシーにそれぞれ搭載される端末装置は、同種の機器が出力する形式の異なる情報を収集し、標準形式に変換して外部に送信する複数の端末装置を含むことを特徴とする。
【００１３】
これによれば、複数のタクシーにそれぞれ搭載される端末装置により、複数のタクシーの車載機器に含まれる同種の機器が出力する形式の異なる情報を収集し、標準形式に変換して外部に送信することで、形式の異なる情報が標準形式に変換されて統一され、管理サーバに送信されてこれにより統合的に管理することができる。
【発明の効果】
【００１４】
本発明の情報統合管理システムによれば、タクシーの車載機器が出力する様々な形式の情報を統合的に管理することが可能となる。
【図面の簡単な説明】
【００１５】
【図１】図１は、本実施形態に係る情報統合管理システムの構成を示す。
【発明を実施するための形態】
【００１６】
以下、本発明の一実施形態について説明する。
【００１７】
図１に、本実施形態に係る情報統合管理システム１００の構成を示す。情報統合管理システム１００は、タクシー１０の車載機器１１Ａ〜１１Ｃが出力する情報を統合的に管理するシステムであり、端末装置２０及び管理サーバ３０を備える。ここで、タクシー１０は、一例として２台の車両１及び２を含むとするが、１以上の任意の数の車両を含んでよい。また、それぞれの車両１，２が車載機器１１Ａ〜１１Ｃを有するとするが、機器の数及び種類は任意であり、すべての車両が同種の機器を有している必要もない。車載機器１１Ａ〜１１Ｃのそれぞれは、例えば、タクシーメータ、タコグラフ、タコメータ、ＧＰＳ等のいずれかでよく、異なる車両に搭載される同種の車載機器は必ずしも同じ形式の情報を出力する必要はなく、異なる形式の情報を出力するものであってよい。また、車載機器１１Ｃは、従前のタコメータのようなアナログ情報を出力するアナログ機器とする。
【００１８】
端末装置２０は、複数のタクシー１０（車両１，２）にそれぞれ搭載され、それぞれの車両１，２の車載機器１１Ａ〜１１Ｃが出力する情報を収集し、標準形式に変換して外部に送信する機器であり、変換部２１Ａ〜２１Ｃ、Ａ／Ｄ変換器２２、及び送信部２３を有する。
【００１９】
変換部２１Ａ〜２１Ｃは、それぞれ、車両１，２に搭載された車載機器１１Ａ〜１１Ｃから出力される情報を受信して、標準形式に変換するユニットである。変換部２１Ａ〜２１Ｃは、独立の装置として端末機器に組み込まれてもよいし、マイクロコンピュータ等のプロセッサに専用プログラムを実行させることで発現する機能ユニットであってもよい。また、変換部２１Ａ〜２１Ｃの数は、車両１，２に搭載された車載機器１１Ａ〜１１Ｃの数、特に管理対象の情報を出力する車載機器の数に応じて任意に定めてよい。
【００２０】
変換部２１Ａ〜２１Ｃは、任意の形式の情報を共通の形式に変換する。例えば、車両１，２に搭載された車載機器１１Ａが出力する情報はそれぞれ異なる形式Ａ１，Ａ２のデジタル情報であり、車両１，２に搭載された端末装置２０の変換部２１Ａは、それぞれの車載機器１１Ａが出力する形式Ａ１，Ａ２の情報を共通の標準形式Ａに変換する。また、車両１，２に搭載された車載機器１１Ｂが出力する情報はそれぞれ異なる形式Ｂ１，Ｂ２のデジタル情報であり、車両１，２に搭載された端末装置２０の変換部２１Ｂは、それぞれの車載機器１１Ｂが出力する形式Ｂ１，Ｂ２の情報を共通の標準形式Ｂに変換する。一方、車両１，２に搭載された車載機器１１Ｃが出力する情報はアナログ形式の情報であり、車両１，２に搭載された端末装置２０の変換部２１Ｃは、Ａ／Ｄ変換器２２を介してそれぞれ形式Ｃ１，Ｃ２のデジタル情報として受信し、これらを共通の標準形式Ｃに変換する。変換された情報は、送信部２３に送信される。
【００２１】
Ａ／Ｄ変換器２２は、アナログ情報をデジタル情報に変換する機器である。本実施形態では、車載機器１１Ｃがアナログ機器であることに応じて、端末装置２０において変換部２１Ｃの前段に組み込まれ、車載機器１１Ｃが出力するアナログ形式の情報をデジタル形式に変換して、変換部２１Ｃに送信する。Ａ／Ｄ変換器２２によりアナログ形式の情報がデジタル形式の情報に変換されることで、そのデジタル形式の情報を外部に送信することが可能となる。
【００２２】
なお、従前の機器の中には、アナログ出力として、数値を電圧／電流に変換するものでなく、所定の条件（例えば急加速）が検出された場合にアナログパルスを出力するものがある。かかる機器の場合、Ａ／Ｄ変換を行った値から変換部２１Ｃにおいてパルスを検出することもできるが、Ａ／Ｄ変換器２２が電圧／電流を数値に変換せずにパルスの検出をデジタル値として出力してもよい。
【００２３】
送信部２３は、変換部２１Ａ〜２１Ｃからそれぞれ出力される標準形式の情報を収集し、管理サーバ３０に送信するユニットである。ここで、送信部２３は、無線通信機（不図示）を有し、これを用いて情報を管理サーバ３０に送信する。なお、送信部２３は、変換部２１Ａ〜２１Ｃから出力される情報を記憶する記憶装置（不図示）を有し、一旦情報を記憶装置に記憶し、それから無線通信機により送信してもよい。
【００２４】
管理サーバ３０は、タクシー１０の車両１，２に搭載された車載機器１１Ａ〜１１Ｃが出力する様々な情報を統合的に管理するサーバである。管理サーバ３０は、例えばパーソナルコンピュータのプロセッサに専用プログラムを実行させることでそのサーバ機能を発現する。管理サーバ３０は、受信部３１及び閲覧管理部３２を有する。
【００２５】
受信部３１は、車両１，２にそれぞれ搭載された端末装置２０から送信される情報を受信するユニットである。受信部３１は、無線通信機（不図示）を有し、これを用いて情報を受信し、閲覧管理部３２に送信する。
【００２６】
閲覧管理部３２は、端末装置２０から送信される情報を記憶し、ユーザに閲覧可能に表示するユニットである。閲覧管理部３２は、記憶装置（不図示）を有してよく、これに端末装置２０から送信される情報を記憶する。ここで、情報は、例えば、受信した時刻、車載機器の種類、その車載機器が搭載された車両等を特定する情報とともに記憶される。閲覧管理部３２は、パーソナルコンピュータ等のユーザ機器４０からの要求に応じて、記憶装置内に記録された情報をユーザ機器４０に送信してその画面に表示させることができる。この際、ユーザに対応して１の会社のタクシーに係る情報のみを表示させる等、情報を選択的に送信することもできる。ユーザは、ユーザ機器４０を介して、車両１，２に搭載された車載機器１１Ａ〜１１Ｃの情報を閲覧し、これを分析することができる。
【００２７】
以上詳細に説明したように、情報統合管理システム１００は、複数のタクシー１０の車両１，２にそれぞれ搭載され、それぞれの車両１，２の車載機器１１Ａ〜１１Ｃが出力する情報を収集し、標準形式に変換して外部に送信する端末装置２０、及び端末装置２０が送信する情報を受信し、記憶し、ユーザに閲覧可能に表示する管理サーバ３０を備える。それにより、複数の車両１，２のそれぞれの車載機器１１Ａ〜１１Ｃが出力する様々な形式の情報が端末装置２０によって標準形式に変換されることで統一され、管理サーバ３０に送信されてこれにより統合的に管理することができる。
【００２８】
また、本実施形態の情報統合管理システム１００は、複数の車両の車載機器は、形式の異なる情報を出力する同種の機器を含み、複数の車両にそれぞれ搭載される端末装置は、同種の機器が出力する形式の異なる情報を収集し、標準形式に変換して外部に送信する複数の端末装置を含む。これにより、形式の異なる情報が標準形式に変換されて統一され、管理サーバ３０に送信されてこれにより統合的に管理することが可能となる。
【００２９】
なお、本実施形態の情報統合管理システム１００では、端末装置２０に車両に搭載される車載機器１１Ａ〜１１Ｃごとに異なる形式の情報を共通の形式に変換する変換部２１Ａ〜２１Ｃを組み込むこととしたが、変換部２１Ａ〜２１Ｃは、複数の車載機器１１Ａ〜１１Ｃに共通に１つの変換部を組み込んでもよいし、端末装置２０ではなく管理サーバ３０に組み込んで、管理サーバ３０において異なる形式の情報を共通の形式に変換することとしてもよい。
【産業上の利用可能性】
【００３０】
本発明の情報統合管理システムは、タクシーの車載機器が出力する様々な形式の情報を統合的に管理するのに好適である。多くのタクシー会社による利用が考えられる。
【符号の説明】
【００３１】
１０    タクシー
１１Ａ  車載機器
１１Ｂ  車載機器
１１Ｃ  車載機器
２０    端末装置
２１Ａ  変換部
２１Ｂ  変換部
２１Ｃ  変換部
２３    送信部
３０    管理サーバ
３１    受信部
３２    閲覧管理部
４０    ユーザ機器
１００  情報統合管理システム
【図１】
2018036727.tif 000003